(57)【要約】【課題】部材と取付け側との相対的な動きを接着取付け型制振材で有効的に減衰することができ、しかも、解体時には、部材とフレーム、及び、フレームと取付け側とを容易に分離することができる、制振取付け構造等を提供する。【解決手段】例えば間仕切り壁において、壁板１が制振フレーム４を介して床面２と天井面３と取り付けられている。該制振フレーム４は、壁板１に取り付けられた第１フレーム材５と、床面２、天井面３に取り付けられた第２フレーム材６と、これらフレーム材５，６間に介設され、フレーム材５，６相互の相対的な動きを減衰する接着取付け型制振材７とを備えている。【選択図】      図１
2007284886.tif 000002
【特許請求の範囲】
【請求項１】
部材を取付け側に取り付ける制振取付け構造であって、
部材が制振フレームを介して取付け側に取り付けられており、
該制振フレームは、前記部材に取り付けられた第１フレーム材と、前記取付け側に取り付けられた第２フレーム材と、これらフレーム材間に介設され、フレーム材相互の相対的な動きを減衰する接着取付け型制振材とを備えていることを特徴とする制振取付け構造。
【請求項２】
部材を取付け側に取り付けるのに用いられる制振フレームであって、
前記部材に取り付けられる第１フレーム材と、前記取付け側に取り付けられる第２フレーム材と、これらフレーム材間に介設され、フレーム材相互の相対的な動きを減衰する接着取付け型制振材とが備えられていることを特徴とする部材取付け用制振フレーム。
【請求項３】
請求項２に記載の制振フレームが備えられ、該制振フレームの第１フレーム材が取り付けられていることを特徴とする部材。
【発明の詳細な説明】
【技術分野】
【０００１】
本発明は、制振取付け構造、部材取付け用の制振フレーム及び部材に関する。
【背景技術】
【０００２】
例えば、制振取付け構造として、部材をフレームを介して取付け側に取り付け、部材とフレームとの間、及び／又は、フレームと取付け側との間に接着取付け型制振材を介設することは、従来より行われている。
【特許文献１】特開２００１−１８２３６０号公報
【発明の開示】
【発明が解決しようとする課題】
【０００３】
しかしながら、接着取付け型制振材は、部材や取付け側に対して接着状態にされるため、解体作業において、部材とフレームとを分離したり、取付け側とフレームとを分離するのが容易ではないという問題がある。
【０００４】
本発明は、上記のような問題点に鑑み、部材と取付け側との相対的な動きを接着取付け型制振材で有効的に減衰することができ、しかも、解体時には、部材とフレーム、及び、フレームと取付け側とを容易に分離することができる、制振取付け構造、部材取付け用の制振フレーム及び部材を提供することを課題とする。
【課題を解決するための手段】
【０００５】
上記の課題は、部材を取付け側に取り付ける制振取付け構造であって、
部材が制振フレームを介して取付け側に取り付けられており、
該制振フレームは、前記部材に取り付けられた第１フレーム材と、前記取付け側に取り付けられた第２フレーム材と、これらフレーム材間に介設され、フレーム材相互の相対的な動きを減衰する接着取付け型制振材とを備えていることを特徴とする制振取付け構造によって解決される。
【０００６】
この制振取付け構造では、第１フレーム材と第２フレーム材との間に接着取付け型制振材が介設され、第１フレーム材が部材に、第２フレーム材が取付け側にそれぞれ取り付けられているので、部材と取付け側との相対的な動きを接着取付け型制振材に伝えて、該接着取付け型制振材に有効的な制振作用を行わせることができる。
【０００７】
しかも、フレームが、部材側用の第１フレーム材と、取付け側用の第２フレーム材とを備え、接着取付け型制振材がこれらフレーム材間に介設されていることで、解体時には、部材と第１フレーム材とを接着取付け型制振材に妨げられることなく分離することができ、また、取付け側と第２フレーム材についても接着取付け型制振材に妨げられることなく分離することができ、これらを容易に分離することができる。
【０００８】
また、上記の課題は、部材を取付け側に取り付けるのに用いられる制振フレームであって、
前記部材に取り付けられる第１フレーム材と、前記取付け側に取り付けられる第２フレーム材と、これらフレーム材間に介設され、フレーム材相互の相対的な動きを減衰する接着取付け型制振材とが備えられていることを特徴とする部材取付け用制振フレーム、並びに、
該制振フレームが備えられ、該制振フレームの第１フレーム材が取り付けられていることを特徴とする部材によっても同様に解決される。
【発明の効果】
【０００９】
本発明は、以上のとおりのものであるから、部材と取付け側との相対的な動きを接着取付け型制振材で有効的に減衰することができ、しかも、解体時には、部材とフレーム、及び、フレームと取付け側とを容易に分離することができる。
【発明を実施するための最良の形態】
【００１０】
次に、本発明の実施最良形態を図面に基づいて説明する。
【００１１】
図１（イ）（ロ）に示す第１実施形態は、間仕切り壁の取付け構造に用いた場合のもので、１は部材としての石膏ボードなどからなる壁板、２は取付け側としての床面、３は同じく取付け側としても天井面、４は制振フレームである。
【００１２】
制振フレーム４は、壁板１の背面側に取り付けられる、方形環状でその内部に縦桟と横桟がわたされた第１フレーム材５と、取付け側である床面２と天井面３とに取り付けられる方形環状の第２フレーム材６とを備え、第１フレーム材５は第２フレーム材６の内部に設置され、第１フレーム材５と第２フレーム材６とで囲まれた方形環状の隙間内に、粘弾性体などからなる接着取付け型制振材７が介設されている。
【００１３】
そして、該制振フレーム４は、第２フレーム材６の下枠６ａが床面２にビス等により固着一体化状態に取り付けられると共に、同第２フレーム材６の上枠６ｂが天井面３に同じくビス等により固着一体化状態に取り付けられ、また、第１フレーム材５は第２フレーム材６から前後両方向に突出し、各突出面部に対して壁板１，１がビス等により固着一体化状態に取り付けられて、制振間仕切り壁８を構成している。
【００１４】
上記の制振間仕切り壁８では、図１（イ）に示すように、水平力が作用すると、第２フレーム材６は、その下枠６ａが床面２に固着一体化状態に取り付けられると共に上枠６ｂが天井面３に固着一体化状態に取り付けられているので平行四辺形状に変形をする一方、第１フレーム材５は壁板１に固着一体化状態に取り付けられているので剛性を高められて方形を維持し、それらフレーム材５，６の相対的な動きを制振材７がせん断変形をすることで有効的な減衰作用が奏される。
【００１５】
そして、解体時には、壁板１と制振フレーム４とは、ビス抜き等を行うことにより接着取付け型制振材７に妨げられることなく容易に分離することができ、また、床面２と制振フレーム４、及び、天井面３と制振フレーム４についても、ビス抜き等を行うことにより接着取付け型制振材７に妨げられることなく容易に分離することができ、解体作業を容易に遂行することができる。
【００１６】
図２（イ）（ロ）に示す第２実施形態は、天井の取付け構造に適用した場合のもので、１１は部材としての石膏ボードなどからなる天井板、１２，１２は取付け側としての吊木、４は制振フレームであり、制振フレーム４は、天井板１１の背面側に取り付けられる方形環状の第１フレーム材５と、吊木１２に取り付けられる方形環状の第２フレーム材６とを備え、第１フレーム材５は第２フレーム材６の内部に設置され、第１フレーム材５と第２フレーム材６とで囲まれた方形環状の隙間内に接着取付け型制振材７が介設されている。
【００１７】
そして、該制振フレーム４は、第２フレーム材６が吊木１２，１２に取り付けられて吊られると共に、第１フレーム材５は第２フレーム材６から少なくとも下方に突出し、該下方突出面部に対して天井板１１がビス等により固着一体化状態に取り付けられて、制振天井１３を構成している。
【００１８】
この制振天井１３では、図２（イ）に示すように、水平力が作用すると、第１フレーム材５は壁板１に固着一体化状態に取り付けられているので剛性を高められて方形を維持し、第１フレーム材５と第２フレーム材６の相対的な動きを制振材７が有効的に減衰して制振作用を行うことができる。
【００１９】
そして、解体時には、天井板１１と制振フレーム４とは、ビス抜き等を行うことにより接着取付け型制振材７に妨げられることなく容易に分離することができ、また、吊木１２と制振フレーム４についても接着取付け型制振材７に妨げられることなく容易に分離することができ、解体作業を容易に遂行することができる。
【００２０】
以上に、本発明の実施形態を示したが、本発明はこれに限られるものではなく、発明思想を逸脱しない範囲で各種の変更が可能である。例えば、上記の実施形態では、部材が壁板１，１や天井板１１である場合を示したが、その他の面板であってもよいし、面板に限らず、各種の部材であってもよい。また、取付け側についても、部材との関係で各種の取付け側であってよい。また、接着取付け型制振材７の種類や、第１、第２フレーム材５，６の材質に制限はなく、各種種類、材質のものが用いられてよい。
【００２１】
また、上記の実施形態では、制振フレームを構成する第１，第２フレーム材５，６が方形環状部を備え、一方の方形環状部内にもう一方の方形環状部が配置され、方形環状部間の環状隙間の周方向の全部に接着取付け型制振材７が介設されている場合を示したが、接着取付け型制振材は環状隙間の周方向の一部に介設されていてもよいし、第１，第２フレームのいずれか一方の方形環状部内にもう一方の方形環状部が備えられていればよいし、方形環状部を備えないものであってもよい。
【図面の簡単な説明】
【００２２】
【図１】第１実施形態の制振取付け構造を示すもので、図（イ）は一部断面正面図、図（ロ）は一部断面側面図である。
【図２】第２実施形態の制振取付け構造を示すもので、図（イ）は平面図、図（ロ）は正面図である。
【符号の説明】
【００２３】
１…壁板（部材）
２…床面（取付け側）
３…天井面（取付け側）
４…制振フレーム
５…第１フレーム材
６…第２フレーム材
７…接着取付け型制振材
１１…天井板（部材）
１２…吊木（取付け側）
【図１】
2007284886.tif 000003
【図２】
2007284886.tif 000004